【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
セグメント化のための画像を準備するためのコントローラであって、前記コントローラは、
命令を記憶するメモリと、
前記命令を実行するプロセッサと
を備え、
前記命令は、前記プロセッサによって実行されたときに、前記コントローラに、
第１の種類の第１のモデル化済み組織構造を表示することと、
前記第１のモデル化済み組織構造とは別個に前記第１の種類の第１の組織構造の画像を表示することと、
前記第１の組織構造の前記画像上での特定のために、前記第１のモデル化済み組織構造上で、前記第１のモデル化済み組織構造上のランドマークを特定すること、及び、前記第１のモデル化済み組織構造上の各ランドマークを順次的に強調することと、
前記プロセッサによって、前記第１のモデル化済み組織構造上の各ランドマークについて前記第１の組織構造の前記画像上での場所を特定することと、
前記第１のモデル化済み組織構造上の前記ランドマークを前記第１の組織構造の前記画像上で特定された前記場所にマッピングすることと
を有するプロセスを実施させる、コントローラ。
【請求項２】
前記命令を実行する前記プロセッサに基づいて前記コントローラによって実施される前記プロセスは、
前記第１のモデル化済み組織構造上の各ランドマークについて前記第１の組織構造の前記画像上での場所を前記特定することを実施するために、前記第１のモデル化済み組織構造上の各ランドマークを前記強調することの後に、前記第１の組織構造の前記画像上の各場所を特定するユーザ入力を認識すること
を更に有し、
前記第１のモデル化済み組織構造上の各ランドマークを順次的に前記強調することは、第１の時間において前記第１のモデル化済み組織構造上の第１のランドマークをハイライトすること、前記第１の時間の後の第２の時間において前記第１のモデル化済み組織構造上の第２のランドマークを続いてハイライトすること、及び、前記第２の時間の後の第３の時間において前記第１のモデル化済み組織構造上の第３のランドマークを続いてハイライトすることを有する、請求項１に記載のコントローラ。
【請求項３】
前記命令を実行する前記プロセッサに基づいて前記コントローラによって実施される前記プロセスは、
前記第１のモデル化済み組織構造上の所定の数のランドマークが特定されたことを判定すること、及び、前記所定の数のランドマークが特定されたことを判定したことに基づいて、前記第１のモデル化済み組織構造を前記第１の組織構造の前記画像にフィッティングすること
を更に有する、請求項１に記載のコントローラ。
【請求項４】
前記命令を実行する前記プロセッサに基づいて前記コントローラによって実施される前記プロセスは、
追加的なランドマークに対応する追加的な場所が特定されるべき前記第１の組織構造の前記画像の領域を強調すること
を更に有する、請求項３に記載のコントローラ。
【請求項５】
前記命令を実行する前記プロセッサに基づいて前記コントローラによって実施される前記プロセスは、
第２の種類の第２のモデル化済み組織構造を表示することと、
前記第２のモデル化済み組織構造とは別個に前記第２の種類の第２の組織構造の画像を表示することと、
前記第２の組織構造の前記画像上での特定のために、前記第２のモデル化済み組織構造上で、前記第２のモデル化済み組織構造上のランドマークを特定すること、及び、前記第２のモデル化済み組織構造上の各ランドマークを順次的に強調することと、
前記プロセッサによって、前記第２のモデル化済み組織構造上の各ランドマークについて前記第２の組織構造の前記画像上での場所を特定することと、
前記第２のモデル化済み組織構造上の前記ランドマークを前記第２の組織構造の前記画像上で特定された前記場所にマッピングすることと、
前記第２の組織構造の前記画像上の場所の特定に伴って、前記第２のモデル化済み組織構造上のランドマークの強調を変更することと
を更に有し、
前記第１のモデル化済み組織構造上の各ランドマークについて前記第１の組織構造の前記画像上での場所を前記特定することは、前記第１のモデル化済み組織構造上の各ランドマークを前記強調することの後に、前記第１の組織構造の前記画像上の各場所を特定するユーザ入力を認識することを有し、
前記第２のモデル化済み組織構造上の各ランドマークについて前記第２の組織構造の前記画像上での場所を前記特定することは、前記第２のモデル化済み組織構造上の各ランドマークを前記強調することの後に、前記第２の組織構造の前記画像上の各場所を特定するユーザ入力を認識することを有する、請求項１に記載のコントローラ。
【請求項６】
前記命令を実行する前記プロセッサに基づいて前記コントローラによって実施される前記プロセスは、
前記第１のモデル化済み組織構造上の前記ランドマークを前記第１の組織構造の前記画像上で特定された前記場所に前記マッピングすることに基づいて、前記第１のモデル化済み組織構造を前記第１の組織構造の前記画像にフィッティングすることと、
前記第２のモデル化済み組織構造上の前記ランドマークを前記第２の組織構造の前記画像上で特定された前記場所に前記マッピングすることに基づいて、前記第２のモデル化済み組織構造を前記第２の組織構造の前記画像にフィッティングすることと、
第１のセグメント化された画像を生成するために前記第１の組織構造をセグメント化し、前記第１のセグメント化された画像を表示することと、
第２のセグメント化された画像を生成するために前記第２の組織構造をセグメント化し、前記第２のセグメント化された画像を表示することと、
前記第１のセグメント化された画像又は前記第２のセグメント化された画像を変更する入力を検知することと、
前記入力に基づいて、前記第１のセグメント化された画像又は前記第２のセグメント化された画像を変更することと
を更に有する、請求項５に記載のコントローラ。
【請求項７】
セグメント化のための画像を準備するためのコントローラであって、前記コントローラは、
命令を記憶するメモリと、
前記命令を実行するプロセッサと
を備え、
前記命令は、前記プロセッサによって実行されたときに、前記コントローラに、
第１の種類の第１のモデル化済み組織構造を表示することと、
前記第１のモデル化済み組織構造とは別個に前記第１の種類の第１の組織構造の画像を表示することと、
前記第１の組織構造の前記画像上での特定のために、前記第１のモデル化済み組織構造上で、前記第１のモデル化済み組織構造上のランドマークを特定すること、及び、前記第１のモデル化済み組織構造上の各ランドマークを順次的に強調することと、
前記プロセッサによって、前記第１のモデル化済み組織構造上の各ランドマークについて前記第１の組織構造の前記画像上での場所を特定することと、
前記第１の種類について所定の数のランドマーク及び場所が特定されたことを判定すること、及び、前記第１の種類について前記所定の数のランドマーク及び場所が特定されたことを判定したことに基づいて、前記第１のモデル化済み組織構造上の前記所定の数のランドマークを前記第１の組織構造の前記画像上で特定された前記場所にマッピングすることと
を有するプロセスを実施させる、コントローラ。
【請求項８】
前記命令を実行する前記プロセッサに基づいて前記コントローラによって実施される前記プロセスは、
前記所定の数のランドマークを前記場所に前記マッピングすることに基づいて、第１の領域における前記第１の組織構造の前記画像をセグメント化することと、
前記第１の組織構造の前記画像上での特定のために、前記第１のモデル化済み組織構造上で、前記第１のモデル化済み組織構造上の少なくとも１つの追加的なランドマークを特定すること、及び、前記第１のモデル化済み組織構造上の前記少なくとも１つの追加的なランドマークを順次的に強調することと、
前記プロセッサによって、前記第１のモデル化済み組織構造上の各追加的なランドマークについて前記第１の組織構造の前記画像上での追加的な場所を特定することと、
所定の数の追加的なランドマーク及び場所が特定されたことを判定すること、及び、前記所定の数の追加的なランドマーク及び場所が特定されたことを判定したことに基づいて、前記第１のモデル化済み組織構造上の前記ランドマーク及び前記追加的なランドマークを前記第１の組織構造の前記画像上で特定された前記場所及び前記追加的な場所にマッピングすることと
を更に有する、請求項７に記載のコントローラ。
【請求項９】
前記命令を実行する前記プロセッサに基づいて前記コントローラによって実施される前記プロセスは、
前記第１のモデル化済み組織構造上の各追加的なランドマークについて、もしも前記画像における対応する場所が変化したなら、前記第１の領域が変化するであろうことを判定すること、及び、前記判定することに基づいて、前記画像における前記第１の領域を強調すること
を更に有する、請求項８に記載のコントローラ。
【請求項１０】
前記命令を実行する前記プロセッサに基づいて前記コントローラによって実施される前記プロセスは、
前記第１の種類の前記第１の組織構造及び前記第１のモデル化済み組織構造上の前記ランドマークのうちの少なくとも１つについて、第１の説明ラベルを表示すること
を更に有し、
前記第１のモデル化済み組織構造及び前記第１の組織構造の前記画像は、２次元的断面又はボリュームレンダリングとして表示される、請求項７に記載のコントローラ。
【請求項１１】
前記命令を実行する前記プロセッサに基づいて前記コントローラによって実施される前記プロセスは、
前記特定することにおいて特定された次のランドマークに対応する前記第１の組織構造の前記画像の領域を特定することと、
前記次のランドマークに対応する前記第１の組織構造の前記画像上の次の場所を特定する前に、前記第１の組織構造の前記画像の前記領域を強調することと
を更に有し、
前記領域を前記強調することは、前記領域にフォーカシングすること、前記領域に重畳すること、及び前記領域の色を変化させることのうちの少なくとも１つを有する、請求項７に記載のコントローラ。
【請求項１２】
前記命令を実行する前記プロセッサに基づいて前記コントローラによって実施される前記プロセスは、
第２の種類の第２のモデル化済み組織構造を表示することと、
前記第２のモデル化済み組織構造とは別個に前記第２の種類の第２の組織構造の画像を表示することと、
前記第２の組織構造の前記画像上での特定のために、前記第２のモデル化済み組織構造上で、前記第２のモデル化済み組織構造上のランドマークを特定すること、及び、前記第２のモデル化済み組織構造上の各ランドマークを順次的に強調することと、
前記プロセッサによって、前記第２のモデル化済み組織構造上の各ランドマークについて前記第２の組織構造の前記画像上での場所を特定することと、
前記第２の種類について所定の数のランドマーク及び場所が特定されたことを判定すること、及び、前記第２の種類について前記所定の数のランドマーク及び場所が特定されたことを判定したことに基づいて、前記第２のモデル化済み組織構造上の前記所定の数のランドマークを前記第２の組織構造の前記画像上で特定された前記場所にマッピングすることと
を更に有する、請求項７に記載のコントローラ。
【請求項１３】
前記命令を実行する前記プロセッサに基づいて前記コントローラによって実施される前記プロセスは、
前記第２のモデル化済み組織構造上の前記ランドマークを前記第２の組織構造の前記画像上の前記場所に反復的にマッピングする前に、前記第１のモデル化済み組織構造上の前記ランドマークを前記第１の組織構造の前記画像上の前記場所に反復的にマッピングすることと、
前記第１のモデル化済み組織構造及び前記第２のモデル化済み組織構造について所定の数のランドマークがマッピングされたなら、前記第１の組織構造の前記画像及び前記第２の組織構造の前記画像をセグメント化することと、
前記第１の組織構造及び前記第２の組織構造についてのセグメント化を同時に表示することと
を更に有する、請求項１２に記載のコントローラ。
【請求項１４】
命令を記憶するメモリと、
前記命令を実行するプロセッサと
を備える、システムであって、
前記命令は、前記プロセッサによって実行されたときに、前記システムに、
第１の種類の第１のモデル化済み組織構造を表示することと、
前記第１のモデル化済み組織構造とは別個に前記第１の種類の第１の組織構造の画像を表示することと、
前記第１の組織構造の前記画像上での特定のために、前記第１のモデル化済み組織構造上で、前記第１のモデル化済み組織構造上のランドマークを特定すること、及び、前記第１のモデル化済み組織構造上の各ランドマークを順次的に強調することと、
前記プロセッサによって、前記第１のモデル化済み組織構造上の各ランドマークについて前記第１の組織構造の前記画像上での場所を特定することと、
前記第１のモデル化済み組織構造上の前記ランドマークを前記第１の組織構造の前記画像上で特定された前記場所にマッピングすることと、
第２の種類の第２のモデル化済み組織構造を表示することと、
前記第２のモデル化済み組織構造とは別個に前記第２の種類の第２の組織構造の画像を表示することと、
前記第２の組織構造の前記画像上での特定のために、前記第２のモデル化済み組織構造上で、前記第２のモデル化済み組織構造上のランドマークを特定すること、及び、前記第２のモデル化済み組織構造上の各ランドマークを順次的に強調することと、
前記プロセッサによって、前記第２のモデル化済み組織構造上の各ランドマークについて前記第２の組織構造の前記画像上での場所を特定することと、
前記第２のモデル化済み組織構造上の前記ランドマークを前記第２の組織構造の前記画像上で特定された前記場所にマッピングすることと
を有するプロセスを実施させる、システム。
【請求項１５】
前記命令を実行する前記プロセッサに基づいて前記システムによって実施される前記プロセスは、
前記第１のモデル化済み組織構造上の所定の数のランドマークが特定されたことを判定すること、及び、前記第１のモデル化済み組織構造と前記第２のモデル化済み組織構造との間の所定の空間的関係を使用して、前記第１のモデル化済み組織構造上の前記所定の数のランドマークが特定されたことを判定したことに基づいて、前記第２のモデル化済み組織構造を前記第２の組織構造の前記画像にフィッティングすることと、
前記第２のモデル化済み組織構造上で、追加的なランドマークを強調することと、
前記追加的なランドマークに対応する追加的な場所が特定されるべき前記第２の組織構造の前記画像の領域を強調することと
を更に有する、請求項１４に記載のシステム。